(57)【要約】【課題】  外出時に持って行くべき物品とその収納状況がわかるようにすると共に、指定期日までに収納されていない物品がある場合には警告を発し、収納し忘れを削減すること。【解決手段】  ビーコン信号にて、可搬収納装置の開情報がビーコン受信装置に送信されるとカメラでの撮影が開始され、前記カメラでの撮影時には、物品判定手段によって前記可搬収納装置に収納ないしは持出される物品が何かということが判定されるよう構成され、前記カメラでの撮影時に、前記可搬収納装置への物品の収納状況が変化すると、収納状況が変化した物品が物品リストに登録された物品であることが前記物品判定手段によって判定された場合には、収納状況の変化に合わせて物品の収納状況を管理する管理テーブルが更新されることを特徴とする。【選択図】図７
2020087051.tif 000002
【特許請求の範囲】
【請求項１】
開閉検知手段とビーコン発信手段を備える可搬収納装置と、前記ビーコン発信手段から発信されるビーコン信号を受信するビーコン受信装置と、撮像手段を備えるカメラと、前記カメラで撮影された画像から物品を判定する物品判定手段と、各種情報を入力する入力装置と所定の機器で管理された物品の収納状況を管理する管理テーブルと、を備え、
前記入力装置によって外出予定が入力されると、前記管理テーブルに予定に適した物品リストが反映され、
前記ビーコン発信手段は前記開閉検知手段にて前記可搬収納装置の開を検知するとビーコン信号が前記ビーコン受信装置に送信され、前記ビーコン信号にて、前記可搬収納装置の開情報が前記ビーコン受信装置に送信されると前記カメラでの撮影が開始され、前記カメラでの撮影時には、前記物品判定手段によって前記可搬収納装置に収納ないしは持出される物品が何かということが判定されるよう構成され、
前記カメラでの撮影時に、前記可搬収納装置への物品の収納状況が変化すると、収納状況が変化した物品が前記物品リストに登録された物品であることが前記物品判定手段によって判定された場合には、収納状況の変化に合わせて前記管理テーブルが更新されることを特徴とする物品管理システム。
【請求項２】
警告を発することが可能に構成された端末装置を備え、前記外出予定にて指定された指定期日までに前記物品リストに登録されている物品が前記可搬収納装置に収納されていない事が判定されると、前記端末装置から警告が発せられることを特徴とする請求項１に記載の物品管理システム。
【請求項３】
前記ビーコン発信手段は定期的にビーコン受信装置にビーコン信号を送信する第１のビーコン信号と、前記開閉検知手段にて前記可搬収納装置の開を検知するとビーコン受信装置に送信される第２のビーコン信号と、前記開閉検知手段にて前記収納装置の閉を検知するとビーコン受信装置に送信される第３のビーコン信号の３種類の信号が発信されるように構成され、
前記第１のビーコン信号にて前記可搬収納装置の位置情報が前記ビーコン受信装置に送信され、前記第２のビーコン信号にて、前記ケースの開情報が前記ビーコン受信装置に送信されると前記カメラでの撮影が開始され、前記第３のビーコン信号にて、前記収納装置の閉情報が前記ビーコン受信装置に送信されると前記カメラでの撮影が終了されることを特徴とする請求項１又は２に記載の物品管理システム。
【請求項４】
前記外出予定は少なくとも外部へ持ち出す予定の可搬収納装置、外出する人物、外出先ないしは外出目的、日程、同行者の情報からなり、前記管理テーブルに反映される物品リストは、前記外出予定に応じて変化することを特徴とする請求項１乃至３のいずれか一項に記載の物品管理システム。
【請求項５】
前記物品リストは、予め複数登録され、前記外出予定が入力された際に、入力された予定に適した物品リストが選択され、前記管理テーブルに反映されることを特徴とする請求項１乃至４のいずれか一項に記載の物品管理システム。
【請求項６】
前記物品リストには前記外出予定に応じた持って行くべき物品と、その物品の必要数量が登録されていることを特徴とする請求項１乃至５のいずれか一項に記載の物品管理システム。
【請求項７】
前記外出予定入力の際に、同行者が設定されると、本人及び同行者それぞれの物品リストが前記管理テーブルに反映され、
前記本人及び前記同行者の管理テーブルに反映された物品リストに記載された物品は、前記本人の物品が前記本人が持ち出す予定の可搬収納装置に収納されていない場合でも、前記本人及び前記同行者が持ち出す予定の可搬収納装置のいずれかに収納されていれば、前記警告の発行が禁止されることを特徴とする請求項１乃至６のいずれか一項に記載の物品管理システム。
【請求項８】
前記可搬収納装置が家の中から外に出る、または家の外から中に入ることを判定する入出判定手段と、を備え、
前記管理テーブルが作成された状態で、外部へ持ち出す予定の前記可搬収納装置の家から外部への持ち出しが前記入出判定手段によって判定された際に、前記物品リストに登録されている物品が前記可搬収納装置に収納されていない事が判定されると、警告が発せられることを特徴とする請求項１乃至７のいずれか一項に記載の物品管理システム。
【請求項９】
開閉検知手段と、電源部と、無線通信部と、内部に収納された物品を撮影可能な撮像部と、撮像部で撮影された画像から物品を判定する物品判定手段と、を備える可搬収納装置と、前記可搬収納装置が家の中から外に出る、または家の外から中に入ることを判定する入出判定手段と、警告を発することが可能に構成された端末装置とを備え、
前記管理テーブルに外出予定に応じた物品リストが反映された状態で、前記入出判定手段によって持ち出す予定の前記可搬収納装置の家から外部への持ち出しが判定されると、前記管理テーブルに物品の収納状況を表すステータス欄が追加され、
前記可搬収納装置の家から外部への持ち出しが判定された状態では、前記開閉検知手段にて前記可搬収納装置の開を検知すると前記撮像部での撮影が開始され、前記撮像部での撮影時には、前記物品判定手段によって前記可搬収納装置に収納ないしは持出される物品が何かということが判定されるよう構成され、
前記可搬収納装置への物品の収納状況が変化すると、収納状況が変化した物品が前記物品リストに登録された物品であることが前記物品判定手段によって判定された場合には、収納状況の変化に合わせて前記管理テーブルが更新され、収納状況の変化に合わせて前記ステータス欄が更新され、指定期日までに前記物品リストに登録されている物品が収納されていないことが判定されると、前記端末装置から警告が発せられることを特徴とする物品管理システム。
【請求項１０】
外部に持ち出されていた前記可搬収納装置の家の内部への持ち帰りが前記入出判定手段によって判定されると、管理テーブルに追加された物品の収納状況を表すステータス欄が削除されることを特徴とする請求項９に記載の物品管理システム。
【請求項１１】
外部に持ち出されていた前記可搬収納装置の家の内部への持ち帰りが前記入出判定手段によって判定されると、管理テーブルが削除されることを特徴とする請求項９又は１０に記載の物品管理システム。
【請求項１２】
外出の予定期間が終了していない場合には、外部に持ち出されていた前記可搬収納装置の家の内部への持ち帰りが前記入出判定手段によって判定されても、管理テーブルの削除が禁止されることを特徴とする請求項１１に記載の物品管理システム。
【請求項１３】
前記入出判定手段によって外部へ持ち出す予定の前記可搬収納装置の家から外部への持ち出し判定時には、前記カメラにて外出する人物が撮影され、前記物品判定手段によってその人物が着用している衣服及び、所持している物品が判定され、前記管理テーブルに追記されることを特徴とする請求項９乃至１２のいずれか一項に記載の物品管理システム。
【請求項１４】
前記可搬収納装置の外部への持ち出しが前記入出判定手段によって判定されている状態で、前記管理テーブルに反映されていない物品が前記可搬収納装置に収納された場合、その物品が前記管理テーブルに登録され、その物品については、前記物品リストに登録されている物品とは異なる収納状況を表す情報が前記ステータス欄に付与されることを特徴とする請求項９乃至１３のいずれか一項に記載の物品管理システム。
【発明の詳細な説明】
【技術分野】
【０００１】
本発明は、物品を管理するシステムに関するものである。詳しくは、外出に際し持ち出されるスーツケース等の可搬収納装置内への物品の収納状況を監視する物品管理システムに関する。
【背景技術】
【０００２】
家庭内では、物品を各種収納ケースやタンス、クローゼット等に収納し、衣装等の物品を管理している。一方、旅行等で外出する際にはスーツケースに必要な衣装等の物品を収納しておくが、外出時に持って行くべき物品を持って行き忘れてしまう事がある。特に管理すべき物品が多いと、所有者はスーツケース内に何を収納したかのみならず、持って行くべき物品すべてを把握することが困難である場合がある。
【０００３】
特許文献１では、過去の旅行プランにおいて取られた行動に対して未来の旅行プランに対する持ち物を提案することができる。
【先行技術文献】
【特許文献】
【０００４】
【特許文献１】特開２０１６−８１３６８号公報
【発明の概要】
【発明が解決しようとする課題】
【０００５】
しかしながら、特許文献１では、提案された持ち物を実際にスーツケース等に収納されたがどうかを判定することができず、持って行く物品が多岐に渡るような場合には結局忘れ物をしてしまうといった問題があった。
【０００６】
本発明は、このような従来技術の問題点に鑑みて成されたものであり、外出時に持って行くべき物品とその収納状況がわかるようにすると共に、指定期日までに収納されていない物品がある場合には警告を発し、収納し忘れを削減することが可能な物品管理システムを提供することを目的とする。
【課題を解決するための手段】
【０００７】
上記の目的を達成するために、本発明に係る物品管理システムは、
開閉検知手段とビーコン発信手段を備える可搬収納装置と、前記ビーコン発信手段から発信されるビーコン信号を受信するビーコン受信装置と、撮像手段を備えるカメラと、前記カメラで撮影された画像から物品を判定する物品判定手段と、各種情報を入力する入力装置と所定の機器で管理された物品の収納状況を管理する管理テーブルと、を備え、
前記入力装置によって外出予定が入力されると、前記管理テーブルに予定に適した物品リストが反映され、
前記ビーコン発信手段は前記開閉検知手段にて前記可搬収納装置の開を検知するとビーコン信号が前記ビーコン受信装置に送信され、前記ビーコン信号にて、前記可搬収納装置の開情報が前記ビーコン受信装置に送信されると前記カメラでの撮影が開始され、前記カメラでの撮影時には、前記物品判定手段によって前記可搬収納装置に収納ないしは持出される物品が何かということが判定されるよう構成され、
前記カメラでの撮影時に、前記可搬収納装置への物品の収納状況が変化すると、収納状況が変化した物品が前記物品リストに登録された物品であることが前記物品判定手段によって判定された場合には、収納状況の変化に合わせて前記管理テーブルが更新されることを特徴とする。
【発明の効果】
【０００８】
本発明に係る物品管理システムによれば、外出時に持って行くべき物品とその収納状況がわかるようにすると共に、指定期日までに収納されていない物品がある場合には警告を発し、収納し忘れを削減することができる。
【図面の簡単な説明】
【０００９】
【図１】本発明の第１実施例に係わる部屋１０の斜視図である。
【図２】本発明の第１実施例に係わる家１の模式図及び近距離無線通信網８１の模式図である。
【図３】本発明の第１実施例に係わるスーツケース１３０の構成図である。
【図４】本発明の第１実施例に係わる物品管理システムのブロック図である。
【図５】本発明の第１実施例に係わる外出予定の入力テーブル３００である。
【図６】本発明の第１実施例に係わる外出の管理テーブル４００である。
【図７】本発明の第１実施例に係わるコンピュータ５０の動作を表すフローチャートである。
【図８】本発明の第１実施例に係わる外出の管理テーブル４００である。
【図９】本発明の第２実施例に係わるスーツケース２３０の構成図である。
【図１０】本発明の第２実施例に係わる外出の管理テーブル４００である。
【図１１】本発明の第２実施例に係わる外出予定の入力テーブル３００である。
【図１２】本発明の第２実施例に係わるコンピュータ５０の動作を表すフローチャートである。
【図１３】本発明の第２実施例に係わるスーツケース２３０の動作を表すフローチャートである。
【図１４】本発明の第２実施例に係わるコンピュータ５０の動作を表すフローチャートである。
【発明を実施するための形態】
【００１０】
以下に、本発明の好ましい実施の形態を、添付の図面に基づいて詳細に説明を行う。本発明の技術的範囲は、特許請求の範囲によって確定されるものであって、実施形態によって限定されるわけではない。また、実施形態の中で説明されている特徴の組み合わせすべてが、本発明に必須とは限らない。
【実施例１】
【００１１】
以下、図１から図８を参照して、本発明の第１の実施例について説明を行う。
【００１２】
図１はある家１のある一室を示す部屋１０の斜視図である。
【００１３】
２０はクローゼットであり各種収納ケースや物品が収納され、開閉可能に構成されたドア２１を閉めることで各種収納ケースや物品を覆い隠すことができる。１３０はスーツケースであり、内部に各種物品が収納されており、このスーツケース１３０から出し入れされる物品を監視することで物品の管理が行われる（詳細後述）。
【００１４】
４０はホームカメラであり部屋１の大半を画角内に納め、必要に応じて部屋の監視を行うことやスーツケース１３０等から出し入れされる物品の判定に用いられる。ホームカメラ４０は同図では１つしか示されていないが、家１内に複数設けられることを想定しており、複数設けられることで家１内の死角を極力減らすことが好ましい。
【００１５】
５０はコンピュータであり家１内の各デバイスへの指示を司る。６０は無線通信ルーターであり、インターネット通信網８０に接続され、コンピュータ５０等から送られてきた無線信号をクラウドサーバー７０等外部機器へ送信する際や、取得する際に使用される。
【００１６】
図２（ａ）は家１を模式的に表した図であり、図２（ｂ）は家１内に張り巡らされている近距離無線通信網８１を模式的に表した図である。
【００１７】
１０は前述の部屋であり、１１は１０とは異なる部屋であり、１２は各部屋をつなぐ廊下であり、１３は家１の玄関である。
【００１８】
図２（ｂ）に示すように、家１内には近距離無線通信網８１が張り巡らされている。近距離無線通信網８１は各デバイスに備わるビーコン発受信装置（詳細後述）から発信されたビーコン信号が届く範囲にある各デバイス間がビーコン信号の通信を通じて相互につながれることで構築されている。例えば部屋１０を例に取ると、部屋１０内にある前述のクローゼット２０、スーツケース１３０、ホームカメラ４０、コンピュータ５０、無線通信ルーター６０を始めとして、照明器具、各スイッチ、ドア等の各デバイス間が相互につながれている。
【００１９】
この近距離無線通信網８１には冗長性があり、一部のデバイス間でのビーコン信号の通信が切断されても他のデバイスを介し、目的のデバイスへビーコン信号を送信することができる。例えばある照明器具を部屋１０から持ち出した場合には、その照明器具を介していたビーコン信号の通信は他のデバイスを介して通信されるように再構築される。反対に部屋１０に新たなデバイスが持ち込まれた場合には、そのデバイスを介した新たな近距離無線通信網８１が再構築される。近距離無線通信網８１は前述の部屋１０の中だけではなく、家１全体のデバイスがつながれ、例えば玄関１３のドア１４から送られたビーコン信号は部屋１０のドア等、他のデバイスを介することで部屋１０の中にあるコンピュータ５０に伝えることが可能である。
【００２０】
以下、図３を参照して、スーツケース１３０の構成について説明を行う。
【００２１】
図３はスーツケース１３０の構成図であり、図３（ａ）はスーツケース１３０の閉の状態における正面図、図３（ｂ）はスーツケース１３０の閉の状態における上面図、図３（ｃ）はスーツケース１３０上面図のＡ−Ａ断面図を示す。図３（ｄ）はスーツケース１３０の閉の状態における側面図、図３（ｅ）スーツケース１３０の開の状態における正面図、図３（ｆ）はスーツケース１３０開の状態におけるＢ−Ｂ断面図を示す。
【００２２】
図３（ａ）〜（ｄ）に示すように、スーツケース１３０は上蓋１３１と下蓋１３２からなり、上蓋１３１と下蓋１３２を開くことで開の状態に、閉じることによって閉の状態となる。下蓋１３２にはスーツケース１３０持ち運び時に持ち手となる伸縮自在なレバー部１３３が設けられている。スーツケース１３０の上蓋１３１、下蓋１３２にはそれぞれ物品を収納することができる。上蓋１３１にはマグネット１３１ａが備わっており、下蓋１３２にはコイル１３２ａとビーコン発受信部１３２ｂとコイン型電池１３２ｃが備わっている。図３（ｃ）または図３（ｄ）に示すように、スーツケース１３０が閉状態の時、コイル１３２ａとマグネット１３１ａは対向するように配置される。
【００２３】
コイル１３２ａとマグネット１３１ａは開閉検知手段を構成している。以下に開閉検知の原理について説明を行う。
【００２４】
図３（ｄ）〜（ｆ）に示すように、スーツケース１３０の上蓋１３１を下蓋１３２に対し開く動作、すなわちスーツケース１３０を閉の状態から開の状態へ移行する動作を行うと、対向していたコイル１３２ａとマグネット１３１ａとが遠ざかる。これによりコイル１３２ａを貫く磁束が変化し、電磁誘導の法則からコイル１３２ａに誘導起電力が発生する。この電力によってビーコン発受信部１３２ｂを起動させ、コイン型電池１３２ｃから電力供給を受けることでビーコン信号が発信される。
【００２５】
次に、前記スーツケース１３０の上蓋１３１を下蓋１３２に対し閉じる動作、すなわちスーツケース１３０を開の状態から閉の状態へ移行する動作を行うと、コイル１３２ａとマグネット１３１ａとが対向する。これによりコイル１３２ａを貫く磁束が変化し、電磁誘導の法則からコイル１３２ａには、引き出し部１３１を引き出すときと逆向きの誘導起電力が発生する。この電力によってビーコン発受信部１３２ｂを動作させ、コイン型電池１３２ｃから電力供給を受けることでビーコン信号が発信される。上蓋１３１を開ける時と、上蓋１３１を閉じる時では逆向きの誘導起電力が発生することから、ビーコン発受信部１３２ｂから発信されるビーコン信号は区別が可能である。
【００２６】
このため、一方をスーツケース１３０が開の状態になったと判定し、他方を閉の状態になったと判定することができる。発信されたビーコン信号を前述のコンピュータ５０で受信することでスーツケース１３０の開閉が検知される。以上が開閉検知の原理である。
【００２７】
上記スーツケース１３０の開閉時だけではなく、スーツケース１３０に備わるビーコン発受信部１３２ｂからは通常時１０秒毎に１回の頻度でビーコン信号が発信される。このビーコン信号を第１のビーコン信号Ｂ１と呼ぶ。また、前述のとおり、スーツケース１３０の開の状態が検知された際と、閉の状態が検知された際にもビーコン信号が発信される。開の状態が検知された場合に発信されるビーコン信号を第２のビーコン信号Ｂ２と呼び、閉の状態が検知された場合に発信されるビーコン信号を第３のビーコン信号Ｂ３と呼ぶ。但し、第１のビーコン信号Ｂ１は省電のために発信頻度を下げても良いし、スーツケース１３０の位置の追尾精度を高めるために発信頻度を上げても良いし、位置情報が不要の場合には発信を停止させても良い。
【００２８】
また、本実施例では通常時における第１のビーコン信号Ｂ１の発信頻度を１０秒毎に１回としているがこれは一例にすぎず、システムごとに最適な頻度に変更しても良い。スーツケース１３０から発信された各ビーコン信号Ｂ１、Ｂ２、Ｂ３は家１内に張り巡らされた近距離通信網８１を経由し、コンピュータ５０を始めとするビーコン発受信部を備える各デバイスに送られる。
【００２９】
スーツケース１３０から第１のビーコン信号Ｂ１が送られてきた場合には、周辺のデバイスでビーコン信号Ｂ１が受信される。３つ以上のデバイスでビーコン信号Ｂ１が受信された場合には、３点測位の要領でビーコン信号Ｂ１を受信した各デバイスの位置と各デバイスが受信した電波強度の差から第１のビーコン信号Ｂ１の発信位置が判定される。
【００３０】
例えば、図２（ｂ）に示すスーツケース１３０からビーコン信号Ｂ１が発信された場合に、周辺にあるクローゼット２０とコンピュータ５０とドアにてビーコン信号Ｂ１が受信される。３つ以上のデバイスで受信したため、スーツケース１３０の現在位置を判定することが可能となる。判定された結果は前記無線通信ルーター６０、インターネット通信網８０を介し、クラウドサーバー７０に送られる。すなわち第１のビーコン信号Ｂ１によりスーツケース１３０の位置が判定され、その情報がクラウドサーバー７０で管理される。
【００３１】
一方、スーツケース１３０から第２のビーコン信号Ｂ２が送られてきた場合にはコンピュータ５０はスーツケース１３０が開の状態と判定し、第３のビーコン信号Ｂ３が送られてきた場合には閉の状態と判定する。
【００３２】
以上の構成により、スーツケース１３０の開閉の検知に加え、スーツケース１３０の現在位置の把握が可能である。また、家１内には、スーツケース１３０を始め物品を収納可能な各種ケースが存在しており、同様のビーコン信号Ｂ１、Ｂ２、Ｂ３が発信されるよう構成されている。但し、上蓋１３１に備わるマグネット１３１ａと、下蓋１３２に備わるコイル１３２ａとビーコン発受信部１３２ｂとコイン型電池１３２ｃは、スーツケース１３０に始めから付いている必要は無い。着脱可能なマグネット１３１ａと、コイル１３２ａ、ビーコン発受信部１３２ｂ、コイン型電池１３２ｃをスーツケース１３０に後付けしても構わない。こうすることで専用のスーツケース１３０を使用する必要がなくなり、安価にシステムを構築することが可能となる。
【００３３】
前述のとおりスーツケース１３０にはビーコン発受信部１３２ｂから各ビーコン信号Ｂ１、Ｂ２、Ｂ３が発信されるが、その電力はコイン型電池１３２ｃ１つで賄われている。しかし、各ビーコン信号Ｂ１、Ｂ２、Ｂ３を発するのに要する電流は数ｍＡと小さいため、コイン型電池１３２ｃ１つでも数年にわたってビーコン信号を発することが可能に構成されている。
【００３４】
次に、本発明の物品管理システムの構成について、図４に示すブロック図を参照して各々説明を行う。
【００３５】
図４は本発明の第１実施例に係わる物品管理システムのブロック図である。図４においては、本発明の特徴を説明するのに必要な部分のみを記載しており、説明に不要な部分に関しては省略している。また、図１から図３で説明した部材には同一の符号を用いる。
【００３６】
まず家１内に設置されている各デバイスに関して説明を行う。スーツケース１３０は前述のとおり上蓋１３１と下蓋１３２から成る。上蓋１３１にはスーツケース１３０が閉の状態の時に、下蓋１３２に備わるコイル１３２ａと対向し、開閉検知に用いられるマグネット１３１ａが備わる。上蓋１３２には開閉検知に用いられるコイル１３２ａが備わる。また、近距離にあるデバイスとビーコン信号による通信を確立させ、近距離無線通信網８１の構築に用いられるビーコン発受信部１３２ｂと、ビーコン発受信部１３２ｂに電力を供給するコイン型電池１３２ｃが備わる。同図にはもう一つ別のスーツケース２３０が描かれているがこちらについては実施例２で説明を行い、ここでは説明を割愛する。
【００３７】
ホームカメラ４０にはレンズや撮像素子からなり、画像を撮影する撮像部４１が備わる。また、撮像部４１で取得した画像データを記憶する記憶部４２と、撮影の制御を行う制御部４３と、ホームカメラ４０を駆動させるのに必要な電力を有しホームカメラ４０各部に電力を供給する電源部４４とが備わる。
【００３８】
さらに、コンピュータ５０に画像データを転送する無線通信部４５と、近距離にあるデバイスとビーコン信号による通信を確立させ、近距離無線通信網８１の構築に用いられるビーコン発受信部４６とが備わる。コンピュータ５０への画像データ転送が完了されると記憶部４２に記憶された画像データは順次消去される。これは、データは全てクラウドサーバー７０で一元管理し、不要なデータをなるべくシステム上に残さないようにすることでデータ流出等のリスクを低減するためである。
【００３９】
コンピュータ５０にはコンピュータ５０内の制御及び家庭内の各デバイスへの指示を司る制御部５１が備わる。この制御部５１にはホームカメラ４０から送られてきた画像データに映る物品を判定する物品判定部５１ａを備える。この物品判定部５１ａは、ある物品が何であるかを認識することができる。これは多くの画像から様々な物品の特徴を事前に学習しておくことで実現され、ある物品の画像を解析し、事前学習したデータベースとの特徴量の差分からその物品が何であるかを判定するという既知の技術で実現することができる。
【００４０】
この技術の応用で、家１内に無かった物品に対してはその物品がどのような物か、例えばシャツであればシャツと認識し、家１内にすでに存在し、登録されている物品であればどの登録された物品であるかを認識することができる。また、コンピュータ５０にはホームカメラ４０から送られてきた画像データをクラウドサーバー７０にアップロードするのに適した画像に加工する画像処理部５２と、画像データから必要な情報を取得する情報処理部５３とが備わる。さらに、画像処理部５２や情報処理部５３にて処理されたデータや未処理のデータ等を記憶する記憶部５４が備わる。また、コンピュータ５０各部に電力を供給する電源部５５と、ホームカメラ４０から送られてきた画像データを取得したり、コンピュータ５０内で処理された画像データや文字データを無線通信ルーター６０に送信したりする無線通信部５６が備わる。
【００４１】
さらに、近距離にあるデバイスとビーコン信号による通信を確立させ、近距離無線通信網８１の構築に用いられるビーコン発受信部５７とが備わる。処理が終わった元画像データや、処理の終わったデータについても、送信の終わったデータについては記憶部５４から順次消去される。これもホームカメラ４０と同じく不要なデータをなるべくシステム上に残さないようにすることでデータ流出等のリスクを低減するためである。
【００４２】
無線通信ルーター６０には各デバイスとの通信を行う無線通信部６１と、クラウドサーバー７０を始めとする外部機器とのインターネット通信を行う通信部６２とが備わる。また、各通信部６１、６２を駆動させるのに必要な電力を有し各通信部６１、６２に電力を供給する電源部６３が備わる。以上が家１内に設置されているデバイスである。
【００４３】
続いて、家１の外部に設置されているデバイスについて説明を行う。通信拠点７１はクラウドサーバー７０側に設置され、インターネット通信網８０に接続されている。通信拠点７１は無線通信ルーター６０から通信基地局を経由して送られてきたデータを受信したり、クラウドサーバー７０のデータを無線通信ルーター６０に送信したりする際に使用される。通信拠点７１には無線通信ルーター６０と通信し、且つクラウドサーバー７０との通信も行われる通信部７１ａと、通信部７１ａを駆動させるのに必要な電力を有し通信部７１ａに電力を供給する電源部７１ｂとが備わる。
【００４４】
クラウドサーバー７０はある拠点に設置され、家１内の各情報を集約して保存し、コンピュータ５０やモバイル端末９０からの要望に基づき必要なデータをコンピュータ５０やモバイル端末９０に対し送信する役割を担う。クラウドサーバー７０には、通信拠点７１と通信を行う通信部７２が備わる。また、コンピュータ５０から送られてきたデータを保存する記憶部７４と、コンピュータ５０やモバイル端末９０での閲覧に適した状態に情報を処理する情報処理部７３と、コンピュータ５０から送られてきたデータを保存する記憶部７４とが備わる。さらに、クラウドサーバー７０を駆動させるのに必要な電力を有しクラウドサーバー７０に電力を供給する電源部７５が備わる。
【００４５】
モバイル端末９０は主に個人で携帯されて使用され、家１の内部にも外部にも持ち出されるデバイスである。モバイル端末９０はクラウドサーバー７０に保存されている各種情報を閲覧する際の閲覧手段として使用されたり、クラウドサーバー７０へ対し入力を行う際の操作手段として使用されたりする。
【００４６】
モバイル端末９０にはモバイル端末９０の制御を司る制御部９１と、各種情報を表示する表示部９２と、クラウドサーバー７０に保存されている各種データを閲覧するのに適したＵＩを提供するアプリケーション９３とが備わる。また、前記表示部の表面をなぞったり、タップしたりすることで入力操作ができる操作部９４と、前記アプリケーションを含む情報を保存している記憶部９５とが備わる。
【００４７】
さらに、人口衛星から電波を受信し、受信した電波からモバイル端末９０の絶対位置情報を得ることができるＧＰＳ９６が備わる。また、モバイル端末９０を駆動させるのに必要な電力を有しモバイル端末９０に電力を供給する電源部９７と、無線通信ルーター６０や通信基地局との通信を行う無線通信部９８が備わる。さらに、近距離にあるデバイスとビーコン信号による通信を確立させ、近距離無線通信網８１の構築に用いられるビーコン発受信部９９が備わる。
【００４８】
無線通信部９８は無線通信ルーター６０との通信を行う第１の通信手段９８ａと、通信基地局との間を無線通信する際に利用される第２の通信手段９８ｂとを有する。主に家１内にモバイル端末９０がある場合には第１の通信手段９８ａにて通信を行い、家１から持ち出され、第１の通信手段９８ａの信号が無線通信ルーター６０に届かなくなった際に第２の通信手段９８ｂが使用される。このため、モバイル端末９０が家１から持ち出された場合にもクラウドサーバー７０との通信を確立させることが可能である。
【００４９】
続いて、スーツケース１３０が家１の中にある場合の物品の監視方法について説明を行う。
【００５０】
前述のとおりスーツケース１３０が引き出されると、第２のビーコン信号Ｂ２が発信され、コンピュータ５０へ伝えられる。コンピュータ５０は第２のビーコン信号Ｂ２を発信したスーツケース１３０の位置情報から、そのスーツケース１３０を画角に捉えているホームカメラ４０を判定し、そのホームカメラ４０に対し撮影開始の指示を送る。ホームカメラ４０でその指示を受け、スーツケース１３０の撮影を開始し、スーツケース１３０から出し入れされる物品が監視される。一方、第３のビーコン信号Ｂ３が発信され、コンピュータ５０へ伝えられると、コンピュータ５０は現在撮影中のホームカメラ４０に対し撮影終了の指示を送り、物品の監視が終了する。以上の構成により、スーツケース１３０から出し入れされる物品が監視される。
【００５１】
以上、スーツケース１３０が家１の中にある場合の物品の監視方法について説明を行ったが、スーツケース１３０が家１から持ち出されることがあり、スーツケース１３０の家１から外部への持ち出しを監視する必要がある。そこで、家１の玄関１３のドア１４にも開閉検知手段が設けられ、スーツケース１３０の出入りを監視する構成とした。図２（ａ）に示すようにドア１４にはコイル１４ａとビーコン発受信部１４ｂとコイン型電池１４ｃが備わり、ドア１４の枠１５には前記ドア１４が閉じている際に前記ドア１４の前記コイル１４ａと対向する位置にマグネット１５ａが備わるように構成されている。
【００５２】
ドア１４が開けられるとビーコン信号が発信されドア１４が開いたことがコンピュータ５０に伝えられ、玄関を画角に捉えるホームカメラ４０にて撮影が開始され、スーツケース１３０の家１からの出入りが監視される。また、ドア１４が閉じられるとビーコン信号が発信されドア１４が閉じられたことがコンピュータ５０に伝えられ、ホームカメラ４０での撮影が終了される。以上の構成により、家１からのスーツケース１３０の出入りが監視される。但し、スーツケース１３０の家１からの出入りを監視する方法としては上記に限らない。例えばあるスーツケース１３０が近接無線通信８１の圏外となり、第１のビーコン信号Ｂ１がコンピュータ５０に届かなくなったことをトリガーにして持ち出されたと判定し、再び届くようになったことをトリガーとして持ち込まれたと判定しても良い。
【００５３】
続いて、スーツケース１３０を所持し旅行等で外出する場合の物品の収納し忘れを防止する物品の管理方法について説明を行う。持ち出す物品が多いと、スーツケース１３０内に何を収納したかのみならず、持って行くべき物品すべてを把握することが困難である。以下、旅行等で外出する際に、持ち出す物品を示し、さらに外出時に持ち出すスーツケース１３０への物品の収納し忘れを防止する方法について説明を行う。
【００５４】
図５はモバイル端末９０を介し入力される外出予定の入力テーブル３００の一例を示し、図６は外出の管理テーブル４００の一例を示す。
【００５５】
ある人物が旅行等で外出する予定が出来た際には、モバイル端末９０を介し外出の予定が入力される。外出の予定は、外出予定の入力テーブル３００に従って入力される。外出予定の入力テーブル３００は図５に示すように外部に持ち出す予定のケースの情報からなる収納媒体３０１、外出する人物３０２、外出先等の情報からなる外出パターン３０３、外出する日程３０４、宿泊数３０５、同行者３０６、連絡日時３０７の情報からなる。外出パターン３０３は外出先に加え、目的（旅行、出張）、季節等の情報を入力することで物品リスト７６の精度を高めることができる。
【００５６】
物品リスト７６は予めクラウドサーバー７０に複数パターンが登録され、外出予定の入力テーブル３００へ入力された外出予定に応じて適切な物品が含まれたリストが選ばれるよう構成されている。同行者３０６及び連絡日時３０７の詳細については後述する。
【００５７】
外出予定の入力テーブル３００への外出予定の入力を受け、予めクラウドサーバー７０に保存されている物品リスト７６の中から、外出予定に応じた物品リスト７６がコンピュータ５０に読み込まれ、外出の管理テーブル４００が作成される。
【００５８】
外出の管理テーブル４００は図６（ａ）に示すように物品カテゴリ４０１、登録名称４０２、持ち主４０３からなる。物品カテゴリ４０１は同図に示すように「シャツ」、「ズボン」等の物品の一般名称からなる。また、図６（ａ）の例では「シャツ」に対応する登録名称４０２、持ち主４０３欄に２列の空欄が用意されている。これは今回の外出予定にはシャツが２枚必要ということを表している。同様にズボンは１枚、パンツは２枚、靴下も２枚必要ということを空欄の数で示している。
【００５９】
以上より、モバイル端末９０を介し物品の管理テーブル４００を閲覧することで、外出の際にどの物品をどれだけ持っていけば良いかがわかるようになる。なお、物品リスト７６は予めクラウドサーバー７０上に保存されているものを利用しても良いし、ユーザーが登録したものを利用しても良い。
【００６０】
続いて、スーツケース１３０に物品を収納した場合の、外出の管理テーブル４００の変化について説明を行う。ホームカメラ４０にてスーツケース１３０が監視され、物品が収納されたことが判定されると、その判定を受け、外出の管理テーブル４００の収納された物品が該当する物品カテゴリ４０１欄にその物品が登録される。
【００６１】
図６（ｂ）に、複数の物品が収納されていることを示す外出の管理テーブル４００の例を示す。
【００６２】
同図に示すようにシャツ１という登録名称４０２の物品がスーツケース１３０に収納されていることが分かる、また、シャツがあと一枚不足しているということがわかる。ユーザーはモバイル端末９０を介し、物品の管理テーブル４００を見ることでシャツがあと一枚不足していることを認識し、物品の収納し忘れを防止することができる。
【００６３】
それでも物品の持って行き忘れをしてしまうことが考えられる。このため、前述の連絡日時３０７で指定した期日になっても、まだ外出の管理テーブル４００に空欄がある場合には、モバイル端末９０から警告が発せられるように構成されている。警告はモバイル端末９０から音声を出しても良いし、振動で知らせても良いし、モバイル端末９０の表示部９２に警告を表示させても良い。警告を受け、外出する人物がモバイル端末９０を閲覧することでまだスーツケース１３０に収納していない物品を把握することができる。
【００６４】
また、収納された物品の持ち主が外出予定の入力テーブル３００で入力された外出予定の人物の物品ではないものが収納されていた場合にはその物品は必要数に含めない。例えば図６（ｂ）の７列目に靴下１０という登録名称４０２の物品が収納されており、持ち主４０３は母となっているが、この場合には靴下も不足していると判定され、警告が発せられる。
【００６５】
さらに、外出の管理テーブル４００に空欄がある状態で、スーツケース１３０の家１から外部への持ち出しが前述の方法にて検知された場合にも同様に警告が発生せられるように構成され、物品の収納し忘れを何重にも防ぐような仕組みとなっている。
【００６６】
外出の管理テーブル４００及びその中で管理されている情報は前述のクラウドサーバー７０にて保存されている。必要に応じてモバイル端末９０の記憶部９５に保存されているアプリケーション９３を立ち上げ、外出の管理テーブル４００で管理されている情報が閲覧できよう構成されている。
【００６７】
続いて、スーツケース１３０を所持し旅行等で外出する際の物品管理システムの動作について、図７に示すフローチャートを参照して各々説明を行う。
【００６８】
図７はスーツケース１３０を所持し旅行等で外出する際の家１内のシステムへの指示を司るコンピュータ５０の動作を表すフローチャートである。
【００６９】
Ｓ１０１でモバイル端末９０を介し外出予定の入力テーブル３００に外出予定が入力されたことを検知したならばＳ１０２に進み、検知しなかったならばコンピュータ５０は動作を行わない。
【００７０】
Ｓ１０２に進んだならば、コンピュータ５０はクラウドサーバー７０から入力された外出予定の入力テーブル３００に対応した物品リスト７６を読み込み、Ｓ１０３に進む。
【００７１】
Ｓ１０３に進んだならば、外出の管理テーブル４００を作成し、Ｓ１０４に進む。
【００７２】
Ｓ１０４でスーツケース１３０の上蓋１３１が下蓋１３２に対し開かれると、対向していたコイル１３２ａとマグネット１３１ａが遠ざかる。これによりコイル１３２ａに誘導起電力が発生し、スーツケース１３０が開の状態になったこと示す第２のビーコン信号Ｂ２がスーツケース１３０に備わるビーコン発受信部１３２ｂから発信される。この信号が近距離無線通信網８１を経由し、コンピュータ５０に伝えられると、コンピュータ５０はスーツケース１３０が開の状態になったと判定し、Ｓ１０５に進む。スーツケース１３０の上蓋１３１が下蓋１３２に対し開かれず、第２のビーコン信号Ｂ２が受信されなかった場合にはＳ１１０に進む。
【００７３】
Ｓ１０５でコンピュータ５０はホームカメラ４０に対し撮影開始の指示を送り、Ｓ１０６に進む。Ｓ１０６でホームカメラ４０の撮像部４１にてスーツケース１３０を撮影し、物品の出し入れを監視する。物品の出し入れが確認されたならばＳ１０７に進み、確認されなかった場合にはＳ１０８に進む。
【００７４】
Ｓ１０７に進んだならば、コンピュータ５０は出し入れされた物品の外出の管理テーブル４００を更新し、その情報をクラウドサーバー７０へ送信し、Ｓ１０８に進む。Ｓ１０８でスーツケース１３０の上蓋１３１が下蓋１３２に対し閉じられると、対向していたコイル１３２ａとマグネット１３１ａが対向する。これによりコイル１３２ａに誘導起電力が発生し、スーツケース１３０が閉の状態になったことを示す第３のビーコン信号Ｂ３がスーツケース１３０に備わるビーコン発受信部１３２ｂから発信される。この信号が近距離無線通信網８１を経由し、コンピュータ５０に伝えられると、コンピュータ５０はスーツケース１３０が閉の状態になったと判定し、Ｓ１０９に進む。スーツケース１３０の上蓋１３１が下蓋１３２に対し閉じられず、第３のビーコン信号Ｂ３が受信されなかった場合にはＳ１０６に戻る。
【００７５】
Ｓ１０９でコンピュータ５０はホームカメラ４０に対し撮影終了の指示を送り、Ｓ１１０に進む。Ｓ１１０で外出予定の入力テーブル３００で入力した連絡日時３０７で指定した期日になったならばＳ１１１に進み、指定した期日になっていないならばＳ１０４に戻る。
【００７６】
Ｓ１１１に進んだならば、外出の管理テーブル４００の空欄が全て埋まっており、スーツケース１３０への物品の収納が完了しているかどうかを判定し、完了しているならばＳ１１３に進み、完了していないならばＳ１１２に進む。Ｓ１１２に進んだならば、コンピュータ５０はモバイル端末９０に対し、警告の指示を送信し、Ｓ１１３に進む。Ｓ１１３に進んだならば、コンピュータ５０は家１から外部へのスーツケース１３０の持ち出しを判定し、持ち出しを判定したならばＳ１１４に進み、持ち出しを判定しなかった場合にはＳ１０４に戻る。
【００７７】
Ｓ１１４に進んだならば、外出の管理テーブル４００の空欄が全て埋まっており、スーツケース１３０への物品の収納が完了しているかどうかを判定し、完了しているならばコンピュータ５０は動作を終了し、完了していないならばＳ１１５に進む。Ｓ１１５に進んだならば、コンピュータ５０はモバイル端末９０に対し、警告の指示を送信し、コンピュータ５０は動作を終了する。
【００７８】
以上、同居人の中に同行者３０６がいない場合について説明を実施したが、以下同行者３０６がいる場合について説明を行う。図８に同行者３０６がいる場合の本人と同行者３０６の外出の管理テーブルを示す。同図において左が本人（父）、右が同行者３０６（母）の外出の管理テーブル４００である。
【００７９】
同行者３０６がいる場合には本人及び同行者それぞれが外出予定の入力テーブル３００に外出予定を入力する（不図示）。それぞれの人物が入力した外出予定に応じた物品リスト７６がコンピュータ５０に読み込まれ、それぞれの人物の外出の管理テーブル４００が作成される。
【００８０】
この外出の管理テーブル４００は本人と同行者間で共有され、相手の外出の管理テーブル４００もモバイル端末９０から閲覧することが可能に構成されている。これにより相手の物品のスーツケース１３０への収納し忘れも確認することができる。それぞれの人物の外出の管理テーブル４００に従い、それぞれの人物の物品を自分が外部へ持ち出す予定のスーツケース１３０に収納している分には同行者がいない場合と同様である。
【００８１】
但し、一方のスーツケース１３０が一杯になり、新たな物品を収納できなくなった場合や、意図的に一方のスーツケース１３０を空けておきたい場合等では、同行者の物品をもう一方が持っていく場合が考えられる。実際には同行者３０６がいる場合には、本人及び同行者の物品はどちらかのスーツケース１３０に入っていれば支障はない。このため連絡日時３０７で指定した期日になった場合、本人及び同行者３０６の物品はどちらかのスーツケース１３０に収納されていれば警告が発せられないように構成されている。
【００８２】
例えば、図８に示すように左の父の外出の管理テーブル４００の５列目にＴシャツ８という母の物品が登録されているが、一方の右の母の外出の管理テーブル４００の４列目にＴシャツ３という父の物品が登録されているため、両方を合わせればＴシャツに不足はないと判定される。
【００８３】
警告について、本人の物品が不足していた場合だけでなく、同行者の警告も外出する人物全員で共有されるように外出者全員に警告が発生られるようにしても良い。
【００８４】
以上、本人及び同行者１名の場合の例について説明を行ったが、３人以上の場合でも同様である。
【００８５】
以上説明したように、本発明の物品管理システムは外出時に持って行くべき物品とその収納状況がわかるようにすると共に、指定期日までに収納されていない物品がある場合には警告を発し、収納し忘れを削減することが可能となる。
【００８６】
また、本実施例では物品を収納する容器としてスーツケース１３０を例に挙げて説明を行ってきたが、本発明の適用範囲はこれに限らない。各種ケースや箱、鞄、タンスやクローゼット、押し入れ、物置等、物品を収納することができるもの全てを対象とする。
【００８７】
開閉検知の方法についても、コイル１３２ａとマグネット１３１ａを近づけたり、遠ざけたりすることで発生する誘導起電力を利用することを例に挙げて説明を行ってきたが、本発明の適用範囲はこれに限らない。例えば、振動センサを用いスーツケース１３０を振動させたことを検知するとスーツケース１３０の開を検知しても良いし、重さの変化や傾きの変化等を各種センサ（圧力センサ、加速度センサ、スイッチ等）で検知し、スーツケース１３０の開及び閉を検知する構成としても良い。
【００８８】
また、家１内の各デバイスへの指示を司る機器として部屋１０内に設置されたコンピュータ５０を例に挙げて説明を行ったが、本発明の適用範囲はこれに限らない。家１にある他の電子機器やモバイル端末９０を始め、家１の外部に設置されているクラウドサーバー７０等であっても良い。
【００８９】
さらに、収納される物品についてはシャツや靴下等、衣類を例に挙げているが、これも当然限定されるものではなく、各スーツケース１３０に収納可能なものであれば全ての物品を対象とする。
【実施例２】
【００９０】
続いて、図９から図１４を参照して、本発明の第２の実施例について説明を行う。なお、第２の実施例において、第１の実施例と構成、動作が同じものについては説明を省略し、特段の説明が無い限り同一の符号を用いる。
【００９１】
第１の実施例では、スーツケース１３０を所持し旅行等で外出する場合の物品の収納し忘れを防止する物品の管理方法について説明を行ったが、外出先から帰宅する際にも、外出先にて物品を収納し忘れてしまうことがある。以下、外出先での物品の出入りを監視し、外出先から帰宅する際に、家１から持ち出した物品の収納し忘れを防止する方法について説明を行う。
【００９２】
まず、図９を参照し、スーツケース２３０の構成について説明を行う。
【００９３】
外出先での物品の出入りを監視するためには、実施例１で説明を行ったマグネット１３１ａと、コイル１３２ａ、ビーコン発受信部１３２ｂ、コイン型電池１３２ｃ等だけを備えたスーツケース１３０では行うことができず以下の構成を備えたスーツケース２３０が必要となる。
【００９４】
図９はスーツケース２３０の構成図であり、図９（ａ）はスーツケース２３０の閉の状態における正面図、図９（ｂ）はスーツケース２３０の閉の状態における上面図、図９（ｃ）はスーツケース２３０の上面図のＡ−Ａ断面図を示す。図９（ｄ）はスーツケース２３０の閉の状態における側面図、図１（ｅ）スーツケース２３０の開の状態における正面図、図９（ｆ）はスーツケース２３０の開の状態におけるＢ−Ｂ断面図を示す。
【００９５】
図９（ａ）〜（ｄ）に示すように、スーツケース２３０は上蓋２３１と下蓋２３２からなり、下蓋２３２にはスーツケース２３０持ち運び時に持ち手となる伸縮自在なレバー部２３３が設けられている。スーツケース２３０の上蓋２３１、下蓋２３２にはそれぞれ物品を収納することができる。
【００９６】
上蓋２３１には、マグネット２３１ａが備わっている。下蓋２３２にはコイル２３２ａとビーコン発受信部２３２ｂが備わっており、図３（ｃ）または図３（ｄ）に示すように、スーツケース２３０が閉状態の時、コイル２３２ａとマグネット２３１ａは対向するように配置される。
【００９７】
さらに、図４のブロック図で示すようにスーツケース２３０には多くの機能が備わる。下蓋２３２には、スーツケース２３０各部に電力を供給する電源部２３２ｃ、撮像部２３２ｇで撮影された画像データや、スーツケース２３０内で処理された画像データや文字データを送信する無線通信部２３２ｄが備わる。また、スーツケース２３０へ出入りする物品を撮影可能に形成された撮像部２３２ｇ、スーツケース２３０の各デバイスへの指示を司る制御部２３２ｈが備わる。制御部２３２ｈには撮像部２３２ｇで撮影された画像データに映る物品を判定する物品判定部２３２ｉを備える。
【００９８】
さらに、下蓋２３２には、撮像部２３２ｇで撮影された画像データをクラウドサーバー７０にアップロードするのに適した画像に加工する画像処理部２３２ｊ、画像データから必要な情報を取得する情報処理部２３２ｋが備わる。また、画像処理部２３２ｊや情報処理部２３２ｋにて処理されたデータや未処理のデータ等を記憶する記憶部２３２ｌと、人口衛星から電波を受信し、受信した電波からスーツケース２３０の絶対位置情報を得ることができるＧＰＳ２３２ｍが備わる。
【００９９】
無線通信部２３２ｄは無線通信ルーター６０との通信を行う第１の通信手段２３２ｅと、通信基地局との間を無線通信する際に利用される第２の通信手段２３２ｆとを有する。主に家１内にスーツケース２３０がある場合には第１の通信手段２３２ｅにて通信を行い、家１から持ち出され、第１の通信手段２３２ｅの信号が無線通信ルーター６０に届かなくなった際に第２の通信手段２３２ｆが使用される。このため、スーツケース２３０が家１から持ち出された場合にもクラウドサーバー７０との通信を確立させることが可能である。
【０１００】
前述の撮像部２３２ｇは図９に示すように上蓋２３１と下蓋２３２それぞれに設け、上蓋２３１、下蓋２３２それぞれから出入りする物品をそれぞれの撮像部２３２ｇで撮影するようにしても良い。
【０１０１】
以下、外出先での物品の収納し忘れを防止する方法について説明を行う。図１０は外出時における外出の管理テーブル４００の一例を示し、図１１に外出予定の入力テーブル３００の一例を示す。図１０に示すようにスーツケース２３０の家１から外への持ち出しが検知されると、コンピュータ５０によって外出の管理テーブル４００にステータス４０４欄が追加される。
【０１０２】
さらに、スーツケース２３０に収納されている物品のステータス４０４は自動的に「収納」となる。外出先で物品の出入りが判定されると、その判定を受け、ステータス４０４欄がスーツケース２３０から物品が持ち出された場合には「持出」となり、収納された場合には「収納」となる。モバイル端末９０を介し外出の管理テーブル４００を閲覧することで、スーツケース２３０への物品の現在の収納状況が確認でき、外出先での物品の収納し忘れを防止することができる。
【０１０３】
それでも物品の持って帰り忘れをしてしまうことが考えられる。このため、外出時と同様に期日を指定し、その期日になっても、まだ外出の管理テーブル４００に「持出」状態の物品がある場合には、モバイル端末９０から警告が発せされるように構成しても良い。
【０１０４】
指定期日は、図１１に示すように外出予定の入力テーブル３００を入力する際に、帰宅時の連絡日時３０８を一緒に指定しておいても良いし、外出先で追記する形で連絡日時３０８を指定しても良い。実施例１同様、警告はモバイル端末９０から音声を出しても良いし、振動で知らせても良いし、モバイル端末９０の表示部９２に警告を表示させても良い。警告を受け、外出している人物がモバイル端末９０を閲覧することでまだスーツケース２３０に収納されていない物品を把握することができる。
【０１０５】
上記構成では、外出する人物が外出の際に着用している衣服を持ち帰り忘れてしまう可能性がある。そこで、外出する人物が家１を出る際に着用している衣服をホームカメラ４０にて撮影し、コンピュータ５０に備わる物品判定部５１ａにて着用している衣服を判定する。判定された物品を外出の管理テーブル４００に加え、ステータス４０４欄に「持出」と反映させる。以上より、外出時に着用していた衣服についても外出の管理テーブル４００に反映させ、持ち帰り忘れを防止することが可能となる。
【０１０６】
さらに、外出先で物品を購入したり、人から譲渡されたりし、帰宅時に持ち帰る物品が増える可能性がある。そこで、外出時に持ち出していない物品がスーツケース２３０に収納されたことをスーツケース２３０が検知すると、スーツケース２３０は外出の管理テーブル４００にその物品を登録し、その情報がクラウドサーバー７０へ送信される。その際、図１０の２列目に示すようにステータス４０４欄が「追加」の状態となる。
【０１０７】
「追加」の状態とすることで一時的に収納された物品である場合等、外出の管理テーブル４００を閲覧した際で、家１から持ち出した物品と区別でき、その物品を持ち帰ってしまわないようにすることが可能となる。また、「追加」と登録された物品に、登録名称４０２や持ち主４０３欄に新たな情報がユーザーによって登録されると、ステータス４０４の欄が更新される。その時もし収納時であれは「収納」と、持出し時であれば「持出」と登録される。この作業によって、一時的に収納された物品と区別でき、持って帰るべき物品と認識させることが可能となる。
【０１０８】
続いて、外出先での物品管理システムの動作について、図１２〜１４に示すフローチャートを参照して各々説明を行う。
【０１０９】
図１２はスーツケース２３０を所持し旅行等で外出する際の家１内のシステムへの指示を司るコンピュータ５０の動作を表すフローチャートである。図１３は外出する際及び外出している際のスーツケース２３０の動作を表すフローチャートである。
【０１１０】
まず図１２を参照し、コンピュータ５０の動作について説明を行う。Ｓ２０１でモバイル端末９０を介し外出予定の入力テーブル３００に外出予定が入力されたことを検知したならばＳ２０２に進み、検知しなかったならばコンピュータ５０は動作を行わない。
【０１１１】
Ｓ２０２に進んだならば、コンピュータ５０はクラウドサーバー７０から入力された外出予定に対応した物品リスト７６を読み込み、Ｓ２０３に進む。Ｓ２０３に進んだならば、外出の管理テーブル４００を作成し、Ｓ２０４に進む。  Ｓ２０４に進んだならば、コンピュータ５０は家１から外部へのスーツケース２３０の持ち出しを判定し、持ち出しを判定したならばＳ２０５に進み、持ち出しを判定しなかったならばコンピュータ５０は動作を終了する。
【０１１２】
Ｓ２０５に進んだならば、コンピュータ５０は外出の管理テーブル４００にステータス４０４欄を追加し、その情報をクラウドサーバー７０へ送信し、コンピュータ５０は動作を終了する。
【０１１３】
続いて図１３を参照し、スーツケース２３０の動作について説明を行う。Ｓ３０１で、コンピュータ５０によって家１から外部へのスーツケース２３０の持ち出しが判定され、その情報がスーツケース２３０で受信されたならばＳ３０２に進み、受信されなかったならばスーツケース２３０は動作を行わない。
【０１１４】
Ｓ３０２でスーツケース２３０の上蓋２３１が下蓋２３２に対し開かれると、対向していたコイル２３２ａとマグネット２３１ａが遠ざかる。これによりコイル２３２ａに誘導起電力が発生し、スーツケース２３０が開の状態になったことを検知し、Ｓ３０３に進む。スーツケース２３０の上蓋２３１が下蓋２３２に対し開かれず、開の状態になったことを検知しなかったならば３０８に進む。
【０１１５】
Ｓ３０３でスーツケース２３０に備わる撮像部２３２ｇでの撮影を開始し、Ｓ３０４に進む。Ｓ３０４でスーツケース２３０の撮像部２３２ｇにてスーツケース２３０の内部を撮影し、物品の出し入れを監視する。物品の出し入れが確認されたならばＳ３０５に進み、確認されなかった場合にはＳ３０６に進む。
【０１１６】
Ｓ３０５に進んだならば、スーツケース２３０は出し入れされた物品のステータス４０４欄を更新し、その情報をクラウドサーバー７０へ送信し、Ｓ３０６に進む。スーツケース２３０から物品が持ち出された場合には「持出」となり、収納された場合には「収納」となる。
【０１１７】
Ｓ３０６でスーツケース２３０の上蓋２３１が下蓋２３２に対し閉じられると、対向していたコイル２３２ａとマグネット２３１ａが対向する。これによりコイル２３２ａに誘導起電力が発生し、スーツケース２３０が閉の状態になったことを検知し、Ｓ３０７に進む。スーツケース２３０の上蓋２３１が下蓋２３２に対し閉じられず、閉の状態になったことを検知しなかったならばＳ３０４に戻る。
【０１１８】
Ｓ３０７でスーツケース２３０に備わる撮像部２３２ｇでの撮影を終了し、Ｓ３０８に進む。Ｓ３０８で外出予定の入力テーブル３００で入力した連絡日時３０８で指定した期日になったならばＳ３０９に進み、指定した期日になっていないならばＳ３０７に戻る。
【０１１９】
Ｓ３０９に進んだならば、外出の管理テーブル４００のステータス４０４欄が全て「収納」となり、スーツケース２３０への物品の収納が完了しているかどうかを判定し、完了しているならばスーツケース２３０は動作を終了する。まだ完了していないならばＳ３１０に進む。Ｓ３１０に進んだならば、スーツケース２３０はモバイル端末９０に対し、警告の指示を送信し、スーツケース２３０は動作を終了する。
【０１２０】
以上、外出する際のコンピュータ５０の動作及び、外出する際及び外出している際のスーツケース２３０の動作について説明を行ったが、以下、帰宅する際のコンピュータ５０の動作について説明を行う。
【０１２１】
図１４はスーツケース２３０を所持した人物が帰宅する際の家１内のシステムへの指示を司るコンピュータ５０の動作を表すフローチャートである。
【０１２２】
以下図１４を参照し、コンピュータ５０の動作について説明を行う。
【０１２３】
Ｓ２１１でコンピュータ５０はスーツケース２３０の家１への持ち帰りを判定し、持ち帰りを判定したならばＳ２１２に進み、持ち帰りを判定しなかったならばコンピュータ５０は動作を終了する。
【０１２４】
Ｓ２１２で外出予定の入力テーブル３００で入力した連絡日時３０８で指定した期日になっているならばＳ２１３に進み、指定した期日になっていないならばＳ２１４に進む。
【０１２５】
Ｓ２１３に進んだならば、コンピュータ５０はクラウドサーバー７０に保存された外出の管理テーブル４００の削除を指示し、コンピュータ５０は動作を終了する。Ｓ２１４に進んだならば、コンピュータ５０はクラウドサーバー７０に保存された外出の管理テーブル４００に追加されたステータス４０４欄の削除を指示し、コンピュータ５０は動作を終了する。
【０１２６】
以上は家１に帰宅したことにより、外出の管理テーブル４００ないしはステータス４０４の欄が不要となるため、状況に応じて不要となる情報を削除する構成とした。
【０１２７】
連絡日時３０８で指定した期日になっている場合には、外出が完了していると判定し、外出の管理テーブル４００自体を削除する。一方、まだ期日前であれば一時帰宅の可能性が考えられるため、外出の管理テーブル４００自体は残し、ステータス４０４欄のみを削除する構成とした。
【０１２８】
以上説明したように、本実施例では外出先でのスーツケース２３０への物品の収納状況がわかり、持って帰り忘れを削減することが可能となる。
【０１２９】
また、本実施例においても物品を収納する容器の形態は上記スーツケース２３０の形態に限らず、物品を収納することができ、且つ持ち運べるものはその全てを対象とする。また、ビーコンの発信頻度や開閉検知の方法、家１内の各デバイスへの指示を司る機器、収納される物品についても第１実施例同様、本実施例の形態に限らない。
【符号の説明】
【０１３０】
１  家、１４  ドア、１４ａ  コイル、１５  枠、１５ａ  マグネット、
４０  ホームカメラ、４１  撮像部、５０  コンピュータ、５１ａ    物品判定部、
５７  ビーコン発受信部、７０  クラウドサーバー、７６  物品リスト、
９０  モバイル端末、１３０  スーツケース、１３１ａ  マグネット、
１３２ａ  コイル、１３２ｂ  ビーコン発受信部、２３０  スーツケース、
２３１ａ  マグネット、２３２ａ  コイル、２３２ｂ  ビーコン発受信部、
２３２ｃ  電源部、２３２ｄ  無線通信部、２３２ｉ  物品判定手段、
３００  外出予定の入力テーブル、４００  外出の管理テーブル、
４０４  ステータス
【図１】
2020087051.tif 000003
【図２】
2020087051.tif 000004
【図３】
2020087051.tif 000005
【図４】
2020087051.tif 000006
【図５】
2020087051.tif 000007
【図６】
2020087051.tif 000008
【図７】
2020087051.tif 000009
【図８】
2020087051.tif 000010
【図９】
2020087051.tif 000011
【図１０】
2020087051.tif 000012
【図１１】
2020087051.tif 000013
【図１２】
2020087051.tif 000014
【図１３】
2020087051.tif 000015
【図１４】
2020087051.tif 000016